(57)【要約】【課題】求人元、学生、学校職員の就職活動についての負担を軽減することができる統合的な就職活動支援方法及び就職活動支援プログラムを提供する。【解決手段】この就職広告方法は、就職広告会社のサーバ５の就職活動支援方法であって、求人元の端末２に募集条件の入力を促し、入力された募集条件を求人元に関連付けて記憶媒体６に記憶し、かつ、当該求人元の端末２に学校及び学部／学科の一覧を表示して学校及び学部／学科の選択を促し、選択された学校及び学部／学科のデータを求人元に関連付けて記憶媒体６に記憶する過程と、前記選択された学校に所属する学生の端末３に前記求人元の募集条件を表示する過程と、を少なくとも備える。【選択図】図１
2008102820.tif 000002
【特許請求の範囲】
【請求項１】
学生の採用に際して募集条件を提示する求人元の端末と、募集条件を参照して就職活動を行う学生の端末と、少なくとも学校マスタデータを記憶させてある記憶媒体を備え、求人元の端末からの情報と学生の端末からの情報とを中継する就職広告会社のサーバと、が通信ネットワークにて接続されているシステムにおける就職広告会社のサーバの就職活動支援方法であって、
求人元の端末に募集条件の入力を促し、入力された募集条件を求人元に関連付けて記憶媒体に記憶し、かつ、当該求人元の端末に学校及び学部／学科の一覧を表示して学校及び学部／学科の選択を促し、選択された学校及び学部／学科のデータを求人元に関連付けて記憶媒体に記憶する過程と、
前記選択された学校に所属する学生の端末に、前記求人元の募集条件を表示する過程と、
を少なくとも備えることを特徴とする就職活動支援方法。
【請求項２】
請求項１に記載された就職活動支援方法において、
前記選択された学校に所属する学生の端末への前記求人元の募集条件の表示は、前記選択された学校の専用ページで行うことを特徴とする就職活動支援方法。
【請求項３】
学生の採用に際して募集条件を提示する求人元の端末と、募集条件を参照して就職活動を行う学生の端末と、少なくとも学校マスタデータを記憶させてある記憶媒体を備え、求人元の端末からの情報と学生の端末からの情報とを中継する就職広告会社のサーバと、が通信ネットワークにて接続されているシステムにおける就職広告会社のサーバのための就職活動支援プログラムであって、
求人元の端末に募集条件の入力を促し、入力された募集条件を求人元に関連付けて記憶媒体に記憶させ、かつ、当該求人元の端末に学校及び学部／学科の一覧を表示して学校及び学部／学科の選択を促し、選択された学校及び学部／学科のデータを求人元に関連付けて記憶媒体に記憶させる手段と、
前記選択された学校に所属する学生の端末に、前記求人元の募集条件を表示する手段と、
を少なくとも備えることを特徴とする就職活動支援プログラム。
【請求項４】
請求項３に記載された就職活動支援プログラムにおいて、
前記選択された学校に所属する学生の端末への前記求人元の募集条件の表示は、前記選択された学校の専用ページで行うことを特徴とする就職活動支援プログラム。
【発明の詳細な説明】
【技術分野】
【０００１】
本発明は、求人元が学生の採用に際して募集条件を提示し、就職活動において学生がその募集条件が参照できるように、就職広告会社が通信ネットワークを介して両者を中継する就職活動支援方法及び就職活動支援プログラムに関する。
【背景技術】
【０００２】
近年、通信ネットワークを用いて学生の就職活動を支援するものが種々提案されている。例えば、特定の学校に属する学生を求人元が募集する場合に当該学生の就職活動を支援するものとして、特許文献１には、学校がウェブサイトを開設し、求人元からアクセスがあった場合に学生の検索ができるようにした就職活動支援方法が記載されている。
【０００３】
【特許文献１】特開２００２−４１６９９号公報
【発明の開示】
【発明が解決しようとする課題】
【０００４】
しかし、特許文献１の就職活動支援方法においても、求人元が特定の学校に属する学生を募集する場合は特定の学校が複数である場合が一般的であるため、求人元の負担は大きく、また、ウェブサイトを開設するため、学校の事務の負担も大きい。また、学生側の求人元の選択については、依然煩雑であり学生の負担も大きい。
【０００５】
本発明は係る事由に鑑みてなされたものであり、その目的は、求人元、学生、学校職員の就職活動についての負担を軽減することができる統合的な就職活動支援方法及び就職活動支援プログラムを提供することにある。
【課題を解決するための手段】
【０００６】
上記目的を達成するために、請求項１に記載の就職活動支援方法は、学生の採用に際して募集条件を提示する求人元の端末と、募集条件を参照して就職活動を行う学生の端末と、少なくとも学校マスタデータを記憶させてある記憶媒体を備え、求人元の端末からの情報と学生の端末からの情報とを中継する就職広告会社のサーバと、が通信ネットワークにて接続されているシステムにおける就職広告会社のサーバの就職活動支援方法であって、求人元の端末に募集条件の入力を促し、入力された募集条件を求人元に関連付けて記憶媒体に記憶し、かつ、当該求人元の端末に学校及び学部／学科の一覧を表示して学校及び学部／学科の選択を促し、選択された学校及び学部／学科のデータを求人元に関連付けて記憶媒体に記憶する過程と、前記選択された学校に所属する学生の端末に、前記求人元の募集条件を表示する過程と、を少なくとも備えることを特徴とする。
【０００７】
請求項２に記載の就職活動支援方法は、請求項１に記載された就職活動支援方法において、前記選択された学校に所属する学生の端末への前記求人元の募集条件の表示は、前記選択された学校の専用ページで行うことを特徴とする。
【０００８】
請求項３に記載の就職活動支援プログラムは、学生の採用に際して募集条件を提示する求人元の端末と、募集条件を参照して就職活動を行う学生の端末と、少なくとも学校マスタデータを記憶させてある記憶媒体を備え、求人元の端末からの情報と学生の端末からの情報とを中継する就職広告会社のサーバと、が通信ネットワークにて接続されているシステムにおける就職広告会社のサーバのための就職活動支援プログラムであって、求人元の端末に募集条件の入力を促し、入力された募集条件を求人元に関連付けて記憶媒体に記憶させ、かつ、当該求人元の端末に学校及び学部／学科の一覧を表示して学校及び学部／学科の選択を促し、選択された学校及び学部／学科のデータを求人元に関連付けて記憶媒体に記憶させる手段と、前記選択された学校に所属する学生の端末に、前記求人元の募集条件を表示する手段と、を少なくとも備えることを特徴とする。
【０００９】
請求項４に記載の就職活動支援プログラムは、請求項３に記載された就職活動支援プログラムにおいて、前記選択された学校に所属する学生の端末への前記求人元の募集条件の表示は、前記選択された学校の専用ページで行うことを特徴とする。
【発明の効果】
【００１０】
本発明の統合的な就職活動支援方法及び就職活動支援プログラムによれば、膨大な量の学校マスタデータを基にして、企業などの求人元と学生が直接結ばれるので、求人元、学生、学校職員の就職活動についての負担を軽減することが可能になる。
【発明を実施するための最良の形態】
【００１１】
以下、本発明を実施するための最良の形態を適宜図面を参照しながら説明する。図１は、本発明の実施形態に係る就職活動支援方法Ａを実現するためのシステム図である。図に示すように、インターネット等の通信ネットワーク１を介して、企業などの求人元の端末２、２、・・・、就職活動を行う学生の端末３、３、・・・、就職活動を行う学生が属する学校の職員の端末４、４、・・・、就職広告会社のサーバ５が接続されている。サーバ５は、就職活動支援方法Ａの動作を正常に行うのに十分な性能のコンピュータであり、ＣＰＵ５０、記憶媒体６等が含まれる。
【００１２】
就職活動支援方法Ａは、求人元が提示した新規卒業学生についての募集条件を就職広告会社が通信ネットワーク１を介して提供し、当該学生が提供された就職情報に基づいて就職活動を行うものである。就職広告会社のサーバ５は、後に詳述するが、記憶媒体６には少なくとも学校マスタデータを記憶させてあり、求人元の端末２、２、・・・からの情報と学生の端末３、３、・・・からの情報とを中継することとなる。
【００１３】
求人元に対しては以下の過程が含まれる。求人元が端末２、２、・・・より就職広告会社のサーバ５にログインすると、その端末２、２、・・・には募集条件の記入を促す画面が表示され、入力された募集条件は求人元に関連させて記憶媒体６に記憶される。それと前後して、求人元の端末２、２、・・・には記憶媒体６に予め記憶されている学校マスタデータから、学校及び学部／学科の一覧が表示されるとともに、学校及び学部／学科の選択が促される。求人元が学校及び学部／学科の選択について入力すると、それらのデータは求人元に関連付けて記憶媒体６に記憶される。なお、求人元の募集条件は、後述するように、求人元が選択した学校の専用ページに自動的に表示されることになる。
【００１４】
ここで、学校は大学院、大学、短大、専門学校などを含むものであり、学部／学科は、学部と学科、学部とコース、学部のみ、学科のみ、コースのみなどを含むものである。本実施形態による学校及び学部／学科の数は、例えば１万５千程度となる。
【００１５】
学生に対しては以下の過程が含まれる。学生が端末３、３、・・・より就職広告会社のサーバ５にアクセスして所属する学校を選択したならば、端末３、３、・・・には求人元の募集条件が表示される。その表示は、学生が所属する学校の専用ページで行われる。次に、学生は所定の箇所をクリックすることで、求人元のウェブサイトに移ることも可能であるし、或いは、就職広告会社のサーバ５に用意された更に詳細な求人情報に移ることも可能である。
【００１６】
ここで着目すべきは、膨大な量の学校マスタデータが就職広告会社のサーバ５の記憶媒体６に予め記憶されていることである。この学校マスタデータを基にして企業と学生が直接結ばれることになる。つまり、この就職活動支援方法Ａを実施することにより、求人元は複数の学校について簡単に募集条件を提供して学生の募集をすることができ、学生は自己の所属する学校を選択した企業の募集条件を簡単に見ることができ、学校は直接に紹介や仲介等をする必要がない。こうして、求人元と学生、更には学校職員の就職活動についての負担を軽減することができる。
【００１７】
サーバ５の記憶媒体６には、図１に示すように、ソフトウェアとして就職活動支援データベース７と就職活動支援プログラム８が記憶されている。以下、就職活動支援方法Ａを実行するための就職活動支援データベース７と就職活動支援プログラム８について具体的に説明する。
【００１８】
就職活動支援データベース７は、学校マスタデータ部７ａ、企業基本データ部７ｂ、企業ログインデータ部７ｃ、学生基本データ部７ｄ、学校職員ログインデータ部７ｅ、求人条件データ部７ｆ、求人先データ部７ｇ、求人情報詳細データ部７ｈ、学生応募データ部７ｉ、学校求人状況データ部７ｊ、を含む。
【００１９】
学校マスタデータ部７ａは、各々の学校の概略をリスト化した膨大な量の前記学校マスタデータを予め記憶したものである。学校マスタデータは、例えば図２に示すように、学校名、学部名、学科（コース）名、地域名、都道府県名を含むものである。
【００２０】
企業基本データ部７ｂは、企業名、業種など企業の基本データを記憶したものである。求人元は予め就職広告会社に登録され、企業ＩＤが割り当てられ、求人元の基本データが企業基本データ部７ｂに記憶される。
【００２１】
企業ログインデータ部７ｃは、求人元毎に企業ログインＩＤ、企業ユーザＩＤ、ユーザパスワードを記憶したものである。求人元が就職広告会社に登録されると、予め企業ログインＩＤ、企業ユーザＩＤ、ユーザパスワードが就職広告会社から求人元に付与され、それらが企業ログインデータ部７ｃに記憶される。求人元がサーバ５にアクセスし、ログインするとき、入力された企業ログインＩＤ、企業ユーザＩＤ、ユーザパスワードと比較される。
【００２２】
学生基本データ部７ｄは、学生の名前、所属する学校及び学部／学科など学生の基本データ等を記憶したものである。就職広告会社に登録された学生は、例えば学生のメールアドレスが学生ＩＤとなり、学生の基本データや学生等により設定されたユーザパスワードが学生基本データ部７ｄに記憶される。
【００２３】
学校職員ログインデータ部７ｅは、学校職員毎に学校職員ログインＩＤ、ユーザパスワードを記憶したものである。学校職員の要求或いは学校職員への打診により、予め学校職員ログインＩＤ、ユーザパスワードが就職広告会社から付与され、それらが学校職員ログインデータ部７ｅに記憶される。学校職員がサーバ５にアクセスし、ログインするとき、入力された学校職員ログインＩＤ、ユーザパスワードと比較される。
【００２４】
求人条件データ部７ｆは、前述のようにして求人元が記入した職種、雇用形態等の募集条件を記憶したものである。また、求人元のＰＲ文書を募集条件に含むことも可能である。
【００２５】
求人先データ部７ｇは、前述のようにして求人元が選択した学校をリスト化したものであり、求人元毎に、例えば図３に示すように、選択した学校名、学部名、学科（コース）名、地域名、都道府県名、求人掲載アドレスが記憶されている。求人掲載アドレスは、各々の学校専用ページのアドレスである。
【００２６】
求人情報詳細データ部７ｈは、求人元の要求に応じて就職広告会社のサーバ５に詳細な求人情報を用意した場合に、その求人元等に関する情報を記憶したものである。
【００２７】
学生応募データ部７ｉは、求人元毎に、その求人元に応募した学生を応募日時等と共に記憶したものである。
【００２８】
学校求人状況データ部７ｊは、学校毎に、求人元による選択を選択日時等と共に記憶したものである。
【００２９】
次に、就職活動支援プログラム８の構造を図４（ａ）、（ｂ）、（ｃ）のフローチャートを参照して説明する。（ａ）は求人元、（ｂ）は学生、（ｃ）は学校職員、に関するものである。
【００３０】
求人元がサーバ５にアクセスした場合、求人元の端末２に、企業ログインＩＤ、企業ユーザＩＤ、ユーザパスワードの入力を促す表示を行い、所定の入力が行われると、ログインする（Ｓ１０１）。そして、以下に述べるその求人元専用の表示を行う。すなわち、先ず、職種、雇用形態等の募集条件の記入を促す（Ｓ１０２）。その記入が行われると、募集条件を当該求人元に関連付けて求人条件データ部７ｆに記憶させる（Ｓ１０３）。それから、学校マスタデータ部７ａのデータを読み出して学校及び学部／学科の一覧を表示し、所望の学校及び学部／学科の選択を促す（Ｓ１０４）。この場合、条件検索で条件に適合する学校及び学部／学科のみの一覧を表示することもできる。求人元が幾つかの学校及び学部／学科を選択して決定入力が行われると、選択された学校及び学部／学科のリストを当該求人元に関連させて記憶媒体６の求人先データ部７ｇに求人元毎に記憶させる（Ｓ１０５）。
【００３１】
また、学生応募データ部７ｉからその求人元に応募した学生のデータを読み出してその一覧表示を行う（Ｓ１０６）ことも可能である。
【００３２】
学生がサーバ５にアクセスして所属する学校を選択したならば、学生が使用する端末３に、以下に述べるその学生が所属する学校専用の表示を行う。すなわち、先ず、学校の専用ページに、学校を選択した１又は複数の求人元の募集条件を表示する（Ｓ２０１）。その表示内容は、例えば図５に示すようなものである。図の例では、地域、業種、職種、学部／学科を選択して対応する箇所にジャンプでき、また、求人元のＰＲ文書が掲載され、求人元のビデオ映像も視聴可能になっている。
【００３３】
次に、表示された求人元の募集条件の１箇所（例えば、図中の株式会社○○の文字）をクリックすることで求人元である企業のウェブサイトに移らせる（Ｓ２０２）か、或いは、サーバ５に用意した求人元の詳細な求人情報を表示する（Ｓ２０３）。学生は、これらの表示に従い、応募等を行うことができる。応募を行う場合は、就職広告会社に登録された学生ＩＤ（例えば、学生のメールアドレス）とユーザパスワードの入力が必要となる。
【００３４】
学校職員がサーバ５にアクセスした場合、学校職員の端末４に、学校職員ログインＩＤ、ユーザパスワードの入力を促す表示を行い、所定の入力が行われるとログインする（Ｓ３０１）。それから、学校求人状況データ部７ｊからその学校の学部／学科を選択した求人元についてのデータを読み出し、表示を行う（Ｓ３０２）。学校職員は就職活動状況を確認できる。
【００３５】
この就職活動支援プログラム８の構造により、就職活動支援データベース７を用いて、求人元と学生、更には学校職員の就職活動についての負担を軽減することができる統合的な就職活動支援方法Ａが実行される。
【００３６】
以上、本発明の実施形態に係る就職活動支援方法及び就職活動支援プログラムについて説明したが、本発明は、実施形態に記載したものに限られることなく、特許請求の範囲に記載した事項の範囲内でのさまざまな設計変更が可能である。例えば、就職活動支援プログラム８と一体にして中途採用の就職活動支援プログラムを作成することも可能である。
【図面の簡単な説明】
【００３７】
【図１】本発明の実施形態に係る就職活動支援方法を実現するためのシステム図である。
【図２】同上の就職活動支援方法のための就職活動支援データベースの学校マスタデータ部の例示である。
【図３】同上の就職活動支援データベースの求人先データ部の例示である。
【図４】同上の就職活動支援プログラムのフローチャートである。
【図５】同上の学校の専用ページを示す図である。
【符号の説明】
【００３８】
１    通信ネットワーク
２    求人用端末
３    学生用端末
４    学校職員用端末
５    サーバ
６    記憶媒体
７    就職活動支援データベース
８    就職活動支援プログラム
５０  ＣＰＵ
【図１】
2008102820.tif 000003
【図２】
2008102820.tif 000004
【図３】
2008102820.tif 000005
【図４】
2008102820.tif 000006
【図５】
2008102820.tif 000007